(57)【要約】【課題】収容しているポスター・写真・絵画・賞状等の薄状物やジグソーパズル等の変色や退色を防止でき、また、バックボードへのジグソーパズルの貼り着きを防止でき、さらには、バックボードを各ピースの組み付け用のボードとして使用したり、油絵等の絵画に必要となる入れ子（枠組）の機能をバックボードに付与できる額縁を提供する。【解決手段】本発明は、外枠と、この外枠内に収容される透明カバーシートとバックボードから構成される額縁において、透明カバーシートは、紫外線の透過を９５パーセント以上阻止する素材により構成されている。また、バックボードの表面に、剥離ニスを塗布し、又は、ラミネート加工を施している。さらに、バックボードは、その周縁部に、突出した輪郭部材を備えている。この他、輪郭部材を、４本の棒状部材により構成し、各棒状部材は、その一側面を粘着面とし、粘着面に剥離紙を付設して形成している。【選択図】図１
2010200941.tif 000002
【特許請求の範囲】
【請求項１】
外枠と、この外枠内に収容される透明カバーシートとバックボードから構成される額縁において、
透明カバーシートは、紫外線の透過を９５パーセント以上阻止する素材により構成されていることを特徴とする額縁。
【請求項２】
バックボードの表面に、剥離ニスを塗布している請求項１に記載の額縁。
【請求項３】
バックボードの表面に、ラミネート加工を施している請求項１に記載の額縁。
【請求項４】
バックボードは、その周縁部に、突出した輪郭部材を備えている請求項１乃至３のいずれかに記載の額縁。
【請求項５】
輪郭部材を、４本の棒状部材により構成し、各棒状部材は、その一側面を粘着面とし、粘着面に剥離紙を付設して形成している請求項４に記載の額縁。
【発明の詳細な説明】
【技術分野】
【０００１】
本発明は、ポスター・写真・絵画・賞状等の薄状物や、複数のピースを組み付けて完成した状態となっているジグソーパズル等を、部屋の壁面等に飾る際に使用する額縁に関するものである。
【背景技術】
【０００２】
ポスター・写真・絵画・賞状等の薄状物を部屋の壁面等に飾る際には、一般的に所定の額縁が使用されている。
【０００３】
同様に、複数のピースを組み付けて完成した状態となっているジグソーパズルを部屋の壁面等に飾る際にも、所定の額縁が使用されている。
【０００４】
このジグソーパズルは、厚紙等に印刷した種々の図柄を、組み付け可能な複数のピースに切り離し、これらの個々のピースを組み付けて、元の図柄を再現する玩具である。
【０００５】
遊戯者は、包装箱の表面等に印刷されている図柄を見ながら、ばらばらになっている個々のピースの中から、隣り合うピースを見つけ出して組み付け、元の図柄を造っていくのである。
【０００６】
このような、ポスター・写真・絵画・賞状等の薄状物や、複数のピースを組み付けて完成した状態となっているジグソーパズル等を部屋の壁面等に飾る際に使用する額縁としては、例えば、図９に示す構成のものが存在する。
【０００７】
この額縁Ｆは、外枠部材１００と、この外枠部材１００に収容するシート部材１０１とボード部材１０２から構成されている。
【０００８】
額縁Ｆを使用するときは、まず、ボード部材１０２の上にポスター・写真・絵画・賞状等の薄状物を載せ、薄状物の表面にシート部材１０１を宛がった状態で、外枠部材１００の内側にシート部材１０１と薄状物を収容させるのである。
【０００９】
一方、ジグソーパズルＰの場合は、まず、ボード部材１０２の上に完成した状態となっているジグソーパズルＰを載せ、個々のピースの間に仕上用の接着剤を流し込んで、組み付けているピースが離れてばらばらにならないようにする。
【００１０】
そして、元の図柄を再現しているジグソーパズルＰの表面にシート部材１０１を宛がった状態で、外枠部材１００の内側にシート部材１０１とジグソーパズルＰを収容させるのである。
【先行技術文献】
【特許文献】
【００１１】
【特許文献１】特になし
【発明の概要】
【発明が解決しようとする課題】
【００１２】
しかしながら、図９に示すような額縁Ｆにおいて、ポスター・写真・絵画・賞状等の薄状物や、元の図柄を再現しているジグソーパズルＰの表面に宛がうシート部材１０１としては、主としてペットシートが用いられていることから、このシート部材１０１は、紫外線の透過を、多くとも２５パーセント以下にしか阻止できていなかった。
【００１３】
その為、ポスター・写真・絵画・賞状等の薄状物やジグソーパズルＰ等を収容している額縁を、日当たりの良い部屋の壁面等に飾ると、紫外線の少なくとも７５パーセント以上がシート部材１０１を透過してしまい、この紫外線の影響を受けて薄状物やジグソーパズルＰが変色したり、退色してしまう事態が生じていた。
【００１４】
また、完成した状態となっているジグソーパズルＰにおいては、個々のピースの間に仕上用の接着剤を流し込んで、組み付けているピースが離れてばらばらにならないようにしているが、シート部材１０１を透過した紫外線の影響を受けて接着剤が風化したり、劣化してしまう事態も生じていた。
【００１５】
この他、ジグソーパズルＰの場合においては、ボード部材１０２の上に完成した状態となっているジグソーパズルＰを載せ、個々のピースの間に仕上用の接着剤を流し込むと、ボード部材１０２にまで接着剤が流れ込んで、ジグソーパズルＰが、ボード部材１０２に貼り着いてしまう事態が生じる。
【００１６】
その為、額縁Ｆに収容しているジグソーパズルＰを、他のジグソーパズルＰに入れ替えようとするときに、ボード部材１０２にジグソーパズルＰが貼り着いていることから、額縁Ｆに他のジグソーパズルＰを収容することができない事態が生じていた。
【００１７】
また、図９に示す額縁Ｆにおいては、ボード部材１０２の全体が、平らな板状に形成されていることから、このボード部材１０２の上で隣り合うピースを組み付ける行為を行うと、ばらばらになっている個々のピースや、組み付けているピースがボード部材１０２の上から落下してしまう事態が生じていた。
【００１８】
その為、遊戯者は、周縁部に突出した輪郭部材を備えている組み付け用のボードを特別に用意し、この組み付け用のボードの上でジグソーパズルＰを完成させてから、ジグソーパズルＰの全体をボード部材１０２の上に移動させるという面倒な作業をしなければならなかった。
【００１９】
また、油絵等の絵画においては、薄状物といっても所定の厚みを有するものであり、油絵の表面と所定のカバーシートが密着することが好ましくないため、額縁の内側に入れ子という枠組を配置し、油絵の表面とカバーシートの間に若干の空間が生じるようにしている。
【００２０】
しかし、図９に示すような様々な薄状物を収容する一般的な額縁Ｆには、この入れ子（枠組）が存在しないことが多いため、額縁内において油絵等の絵画における好ましい収容状況を構築することができない事態も生じていた。
【００２１】
そこで、本発明は如上のような従来存した諸事情に鑑み創出されたもので、外枠と、この外枠内に収容される透明カバーシートとバックボードから構成される額縁において、透明カバーシートが紫外線の透過を９５パーセント以上阻止することで、ポスター・写真・絵画・賞状等の薄状物やジグソーパズル等の変色を防止できる額縁を提供することを目的とする。
【００２２】
加えて、バックボードの表面に剥離ニスを塗布し、又は、ラミネート加工を施すことで、バックボードへのジグソーパズルの貼り着きを防止し、さらには、バックボードの周縁部に輪郭部材を取り付けて、バックボードを各ピースの組み付け用のボードとして使用したり、油絵等の絵画に必要となる入れ子（枠組）の機能をバックボードに付与できる額縁を提供することを目的とする。
【課題を解決するための手段】
【００２３】
本発明は、外枠と、この外枠内に収容される透明カバーシートとバックボードから構成される額縁において、透明カバーシートは、紫外線の透過を９５パーセント以上阻止する素材により構成されていることで、上述した課題を解決した。
【００２４】
また、バックボードの表面に、剥離ニスを塗布していることで、同じく上述した課題を解決した。
【００２５】
又は、バックボードの表面に、ラミネート加工を施していることで、同じく上述した課題を解決した。
【００２６】
さらに、バックボードは、その周縁部に、突出した輪郭部材を備えていることで、同じく上述した課題を解決した。
【００２７】
この他、輪郭部材を、４本の棒状部材により構成し、各棒状部材は、その一側面を粘着面とし、粘着面に剥離紙を付設して形成していることで、同じく上述した課題を解決した。
【発明の効果】
【００２８】
本発明は、外枠と、この外枠内に収容される透明カバーシートとバックボードから構成される額縁において、透明カバーシートは、紫外線の透過を９５パーセント以上阻止する素材により構成されていることから、ポスター・写真・絵画・賞状等の薄状物や完成した状態となっているジグソーパズルを組み込んでいる額縁を、日当たりの良い部屋の壁面等に飾った場合においても、紫外線の影響を排除して、薄状物やジグソーパズルが変色したり、退色してしまう事態の発生を防止することができる。
【００２９】
その為、額縁に収容されているポスター・写真・絵画・賞状等の薄状物や、ジグソーパズルについて、長期間に渡り、当初のきれいな色合いを維持することができる。
【００３０】
また、額縁に収容されているジグソーパズルにおいては、個々のピースの間に仕上用の接着剤を流し込んで、組み付けているピースが離れてばらばらにならないようにしているが、この場合にも紫外線の影響を排除して、接着剤が風化したり、劣化してしまう事態の発生を防止することができる。
【００３１】
この他、バックボードの表面に、剥離ニスを塗布していることから、バックボードの上に完成した状態となっているジグソーパズルを載せ、個々のピースの間に仕上用の接着剤を流し込んで、バックボードにまで接着剤が流れ込んだとしても、ジグソーパズルがバックボードに貼り着いてしまう事態の発生を防止することができる。
【００３２】
その為、バックボードの上に載せられている状態で額縁に収容されているジグソーパズルを、他のジグソーパズルに入れ替えるときには、バックボードの上からジグソーパズルを簡単に取り去ることができる。
【００３３】
そして、バックボードの上に他のジグソーパズルを構成する個々のピースを置いて組み付けて行くことにより、額縁の再利用を可能としている。
【００３４】
また、特にバックボードの表面に剥離ニスを塗布することは、所謂印刷の手法を用いてバックボードに剥離ニスを付設することができ、製作コストも低く抑えることができる。
【００３５】
一方、バックボードの表面に、ラミネート加工を施したときにも、ジグソーパズルがバックボードに貼り着いてしまう事態の発生を防止することができる。
【００３６】
また、バックボードは、その周縁部に、突出した輪郭部材を備えていることから、遊戯者は、このバックボードの上で、ジグソーパズルの隣り合うピースを組み付けることができる。
【００３７】
即ち、バックボードにおける突出した輪郭部材により、ばらばらになっている個々のピースや、組み付けているピースが、バックボードの輪郭部材内に保持されて、バックボードの上から落下してしまう事態の発生を防止できるのである。
【００３８】
その為、遊戯者は、ピースの組み付けを行うためのボードを特別に用意する必要がなく、バックボードをピースの組み付け用のボードとして利用して、ジグソーパズルを完成させることができる。
【００３９】
その結果、組み付け用のボードの上でジグソーパズルを完成させてから、ジグソーパズルをバックボードの上に移動させるという面倒な作業も排除できる。
【００４０】
また、輪郭部材を、４本の棒状部材により構成し、各棒状部材は、その一側面を粘着面とし、粘着面に剥離紙を付設して形成していることから、輪郭部材の存在していないバックボードに対して、遊戯者が後から輪郭部材を取り付けて、バックボードをジグソーパズルの組み付け用のボードとして利用できる。
【００４１】
この他、油絵等の絵画において、油絵の表面と透明カバーシートが密着することが好ましくない場合においては、必要に応じてバックボードに輪郭部材を取り付けて、バックボードに入れ子（枠組）の機能を付与できる。
【００４２】
その為、油絵の表面と透明カバーシートの間に若干の空間が生じるようにして、額縁内において油絵等の絵画における好ましい収容状況を構築することもできる。
【図面の簡単な説明】
【００４３】
【図１】外枠と、この外枠内に収容される透明カバーシートとバックボードから構成される額縁を、前方側から見た分解斜視図である。
【図２】外枠と、この外枠内に収容される透明カバーシートとバックボードから構成される額縁を、後方側から見た分解斜視図である。
【図３】バックボードの表面に、剥離ニスを塗布している構成、又は、ラミネート加工を施している構成を明示した概略の断面図である。
【図４】周縁部に輪郭部材を備えているバックボードの構成を示す斜視図である。
【図５】輪郭部材を４本の棒状部材により構成し、各棒状部材をバックボードに取り付ける状態を示す分解斜視図である。
【図６】輪郭部材を４本の棒状部材により構成し、各棒状部材をバックボードに取り付けた状態を示す斜視図である。
【図７】外枠内に、透明カバーシートとジグソーパズルを収容している状態の額縁を、前方側から見た斜視図である。
【図８】外枠内に、バックボードを収容している状態の額縁を、後方側から見た斜視図である。
【図９】従来における一般的な額縁の構成を示す分解斜視図である。
【発明を実施するための形態】
【００４４】
以下に、図面を参照して、本発明を実施するための形態を詳細に説明する。
【００４５】
本発明に係る額縁Ｆは、ポスター・写真・絵画・賞状等の薄状物や、複数のピースを組み付けて完成した状態となっているジグソーパズルＰを、部屋の壁面等に飾る際に使用するものである。
【００４６】
具体的には、図１・図２に示すように、矩形の枠状に形成されている外枠１と、この外枠１内に収容される透明カバーシート２とバックボード３により額縁Ｆが構成されている。
【００４７】
外枠１内に収容される透明カバーシート２は、薄いプラスチックフィルムによって形成されている。このプラスチックフィルムは、紫外線の透過を９５パーセント以上阻止する素材により形成されている。
【００４８】
具体的には、プラスチックフィルムに、紫外線反射機能を備えている金属酸化物を混入させている。この金属酸化物としては、例えば、酸化鉄や酸化チタン等の、紫外線遮蔽効果を有する粒子径の極めて小さなものを使用することで、プラスチックフィルムの透明性を維持している。また、プラスチックフィルムの表面に、二酸化チタンを主原料とした光触媒型のコーティング剤を塗布しても良い。
【００４９】
この他、プラスチックフィルムに、紫外線吸収機能と光安定化機能を備えているベンゾトリアゾール系、ベンゾフェノン系、トリアジン系の紫外線吸収剤のいずれかを混入させても良い。また、これらの紫外線吸収剤の他に、所謂ＨＡＬＳと称するヒンダードアミン系光安定剤を添加しても良い。
【００５０】
尚、透明カバーシート２を構成するプラスチックフィルムは、紫外線の透過を９５パーセント以上阻止することができれば、どのような素材を用いて形成しても差し支えない。
【００５１】
また、図１・図２に示す透明カバーシート２は、外枠１と別部材となるように存在しているが、これに限定されることはなく、外枠１内に固定されているものであっても良い。
【００５２】
外枠１内に収容されるバックボード３は、矩形の板状に形成されている。このバックボード３の表面には、図３に示すように、剥離ニス４を塗布している。剥離ニス４は、額縁ＦにジグソーパズルＰを収容する場合に、仕上用の接着剤により、ジグソーパズルＰがバックボード３に貼り着いてしまう事態の発生を防止するものである。
【００５３】
ジグソーパズルＰの遊戯者は、バックボード３の上でジグソーパズルを完成させたとき、ピースの間に仕上用の接着剤を流し込んで、組み付けているピースが離れてばらばらにならないようにする。このとき、接着剤がバックボード３にまで到達してしまった場合であっても、剥離ニス４の存在により、ジグソーパズルがバックボード３に貼り着くことがないのである。
【００５４】
尚、バックボード３へのジグソーパズルの貼り着きを防止する措置としては、剥離ニス４を塗布することに限定されることはなく、例えば、バックボード３の表面に、ペットやポリプロピレン等を用いたラミネート加工５を施しても良い。
【００５５】
さらに、バックボード３は、図４に示すように、その周縁部に、突出した輪郭部材６を備えている。
【００５６】
この突出した輪郭部材６は、ジグソーパズルＰの遊戯者が、バックボード３の上で隣り合うピースを組み付けている最中に、ばらばらになっている個々のピースや、組み付けているピースが、バックボード３の上から落下してしまう事態の発生を防止するものである。
【００５７】
また、輪郭部材６は、油絵等の絵画において、油絵の表面と透明カバーシート２が密着することが好ましくない場合において、油絵の表面と透明カバーシート２の間に若干の空間を生じさせて、バックボード３に入れ子（枠組）の機能を付与するものである。
【００５８】
この輪郭部材６は、バックボード３に予め固定されていても良いし、また、バックボード３と別部材となるようにしても良い。
【００５９】
このバックボード３と別部材となる輪郭部材６は、図５・図６に示すように、４本の棒状部材７ａ，７ｂ，７ｃ，７ｄにより構成されている。
【００６０】
各棒状部材７ａ，７ｂ，７ｃ，７ｄは、図５に示すように、その一側面を粘着面８とし、この粘着面８に沿って剥離紙９を付設して形成している。
【００６１】
ジグソーパズルＰの遊戯者は、各棒状部材７ａ，７ｂ，７ｃ，７ｄの粘着面８から剥離紙９を剥がしてから、その粘着面８をバックボード３の周縁部に沿って貼り着けるのである。
【００６２】
また、油絵等の絵画を額縁Ｆに収容するときも、各棒状部材７ａ，７ｂ，７ｃ，７ｄの粘着面８から剥離紙９を剥がし、その粘着面８をバックボード３の周縁部に沿って貼り着けて、バックボード３に入れ子（枠組）の機能を付与させるのである。
【００６３】
尚、輪郭部材６が必要ない場合には、各棒状部材７ａ，７ｂ，７ｃ，７ｄをバックボード３から剥がして、簡単に取り去ることもできる。
【００６４】
透明カバーシート２とバックボード３を収容する外枠１内には、図２に示すように、嵌合溝１０が設けられている。また、この嵌合溝１０に沿って、複数の係止片１１が配置されている。これらの係止片１１は、その一端部がビス等により外枠１に軸止されて、外枠１の裏面側に回動可能に取り付けられている。
【００６５】
以下に、本発明に係る額縁Ｆに、ジグソーパズルＰを収容する場合を想定して、その使用の手順を説明する。
【００６６】
まず、バックボード３の周縁部に沿って、別部材として存在している輪郭部材６を固定する。具体的には、輪郭部材６を構成する各棒状部材７ａ，７ｂ，７ｃ，７ｄの粘着面８から剥離紙９を剥がし、その粘着面８を、バックボード３の周縁部に沿って貼り着けて固定するのである。
【００６７】
尚、バックボード３に輪郭部材６が予め固定されているときは、このような準備作業は不用である。
【００６８】
次に、ジグソーパズルＰの遊戯者は、バックボード３の上にジグソーパズルＰを構成する各ピースを置き、包装箱の表面等に印刷されている図柄を見ながら、ばらばらになっている個々のピースの中から、隣り合うピースを見つけ出して組み付けていく。
【００６９】
このとき、個々のピースや、組み付けているピースが、バックボード３の輪郭部材６内に保持されることから、バックボード３の上からピースが落下してしまう事態の発生を防止することができる。また、組み付けているピースが不用意にずれてしまう事態の発生も抑制され、ジグソーパズルＰの完成に至るまでに長時間を要する場合においても、バックボード３の上で各ピースを円滑に組み付けることができる。
【００７０】
そして、包装箱の表面等に印刷されている元の図柄を、個々の組み付けたピースにより再現し、ジグソーパズルＰが完成したときは、個々のピースの間に仕上用の接着剤を流し込んで、各ピースがばらばらにならないようにする。
【００７１】
次に、ジグソーパズルＰの表面に透明カバーシート２を宛がってから、その上に外枠１を被せる。このとき、バックボード３、完成した状態のジグソーパズル、透明カバーシート２のそれぞれは、外枠１の嵌合溝１０に収容される。
【００７２】
そして、バックボード３の裏面側を手で押さえながら、バックボード３、完成した状態のジグソーパズル、透明カバーシート２のそれぞれを収容している外枠１の全体を裏返す。
【００７３】
最後に、図８に示すように、額縁Ｆに取り付けられているそれぞれの係止片１１を回動させて、バックボード３の裏面側を押さえ付けるようにして、外枠１にバックボード３を固定する。
【００７４】
一方、外枠１に他のジグソーパズルＰを収容するときは、まず、係止片１１を回動させて、外枠１からバックボード３を取り外す。
【００７５】
次に、ジグソーパズルＰをバックボード３の上から取り去る。
【００７６】
そして、他のジグソーパズルＰを構成する個々のピースをバックボード３の上に置いてから、バックボード３の上で隣り合うピースを見つけ出して組み付けて行けば良い。
【００７７】
この他、本発明に係る額縁Ｆに、ポスター・写真・賞状等の薄状物を収容する場合には、バックボード３の上に薄状物を載せ、薄状物の表面に透明カバーシート２を宛がってから、その上に外枠１を被せる。
【００７８】
そして、バックボード３の裏面側を手で押さえながら、バックボード３、薄状物、透明カバーシート２のそれぞれを収容している外枠１の全体を裏返し、図８に示すように、それぞれの係止片１１を回動させて、バックボード３の裏面側を押さえ付けるようにして、外枠１にバックボード３を固定するのである。
【００７９】
また、本発明に係る額縁Ｆに、油絵等の絵画を収容する場合には、各棒状部材７ａ，７ｂ，７ｃ，７ｄの粘着面８から剥離紙９を剥がし、その粘着面８をバックボード３の周縁部に沿って貼り着けてバックボード３に入れ子（枠組）の機能を付与させてから、バックボード３、油絵等の絵画、透明カバーシート２のそれぞれを外枠１の嵌合溝１０に収容するのである。
【産業上の利用可能性】
【００８０】
本発明に係る額縁は、ポスター・写真・絵画・賞状等の薄状物や、ジグソーパズルを収容することの外に、織物や色紙等の様々な薄状物や、多少の厚みや凹凸のある薄状物を収容して飾り付けたり、展示するものとして、幅広く利用することができる。
【符号の説明】
【００８１】
Ｆ…額縁
Ｐ…ジグソーパズル
１…外枠
２…透明カバーシート
３…バックボード
４…剥離ニス
５…ラミネート加工
６…輪郭部材
７ａ…棒状部材
７ｂ…棒状部材
７ｃ…棒状部材
７ｄ…棒状部材
８…粘着面
９…剥離紙
１０…嵌合溝
１１…係止片
１００…外枠部材
１０１…シート部材
１０２…ボード部材
【図１】
2010200941.tif 000003
【図２】
2010200941.tif 000004
【図３】
2010200941.tif 000005
【図４】
2010200941.tif 000006
【図５】
2010200941.tif 000007
【図６】
2010200941.tif 000008
【図７】
2010200941.tif 000009
【図８】
2010200941.tif 000010
【図９】
2010200941.tif 000011